(57)【特許請求の範囲】
【請求項１】
浴室の周囲の屋内側に隣接して設けられた基礎上に大引きを接続し、床板と該床板の下面に間隔を隔てて固定された複数の下面根太と隣接する下面根太間に介設された介設断熱材とを一体化してなる床パネル組立体の一端部を上記大引き上に載置して取り付けるとともに、
上記基礎上の上記大引きの浴室側に基礎の長手方向に沿って断熱材を取り付け、
この断熱材の下端部と上記基礎の上端部との間の隙間を気密テープでシールしたことを特徴とする浴室回りの気密構造。
【請求項２】
上記大引きは上記基礎上に基礎と略平行に配置するとともに、この大引き上に大引きと略平行に根太を配置し、この根太と上記基礎上の断熱材との間の隙間を気密テープでシールしたことを特徴とする請求項１記載の浴室回りの気密構造。
【請求項３】
上記大引きは上記基礎と略直交する方向に配置してこの大引きの一端部を上記基礎上に取り付けるとともに、上記基礎上の断熱材の上部に根太を配置し、この根太と上記基礎上の断熱材との間の隙間を気密テープでシールしたことを特徴とする請求項１記載の浴室回りの気密構造。
【請求項４】
上記各気密テープは防水機能を兼備することを特徴とする請求項１乃至３のいずれか記載の浴室回りの気密構造。
【請求項５】
上記大引きは鋼等の金属からなることを特徴とする請求項１乃至４のいずれか記載の浴室回りの気密構造。
【発明の詳細な説明】
【０００１】
【発明の属する技術分野】
本発明は、床板と、該床板の下面に間隔を隔てて固定された複数の下面根太と、隣接する下面根太間に介設された介設断熱材とを一体化してなる床パネル組立体を用いた住宅において、上記床パネル組立体が接続される浴室の周囲での気密性を十分に確保できる浴室回りの気密構造に関する。
【０００２】
【従来の技術】
従来、住宅の床の施工に際しては、例えば、図１２に示すように、互いに平行に架け渡された複数の根太１間に断熱材２を配置し、この断熱材２の上面を防湿層（不図示）で被覆した後、隣接する根太１間に複数枚の床板３を配置し、隣接する床板３間の目地を気密テープ（不図示）でシールするようにしている。
【０００３】
ところが、上記施工方法では、根太１、断熱材２及び床板３等の床の各構成部材を順次施工するので、施工に手間が掛かる問題がある。そこで、図２に示すように、予め床板１１と、この床板１１の下面側に互いに平行に配置された複数の下面根太１２と、隣接する下面根太１２間に介設された介設断熱材１３（発泡スチロール製等）とを一体化してなる床パネル組立体１０を製作しておき、この床パネル組立体１０を隣接する大引き（図示せず）間に架け渡しながら、順次縦横に敷設するようにして、床の施工作業を容易化することが考えられる。
【０００４】
【発明が解決しようとする課題】
ところで、上記のような床パネル組立体１０を使用する場合、バスコア等を用いた浴室の周囲では、例えば、浴室回りの基礎上に取り付けた大引き（図示せず）上に上記床パネル組立体１０の一端部を載置して固定することが考えられる。その場合、上記浴室回りにおける気密性、つまり、浴室回りの床パネル組立体１０の下方の空気の室内側への侵入防止をいかに確保するかが問題となる。
【０００５】
また、上記大引きが鋼等の金属で形成されている場合、この大引き表面等での結露の発生を抑制することも技術的課題となるが、浴室内が高温高湿やすいことから、浴室の周囲では室内側と床下側の温度差が一層大きくなりやすく、上記の結露対策も一層入念に行う必要がある。
【０００６】
【課題を解決するための手段】
本発明は、上記課題に鑑みてなされたものであって、床板と下面根太と介設断熱材とを一体化した床パネル組立体を用いた住宅の浴室回りにおいて、十分な気密性を確保できる構造を提供することを技術課題とするものである。
【０００７】
そのため、本発明の請求項１の浴室回りの気密構造は、浴室の周囲の屋内側に隣接して設けられた基礎上に大引きを接続し、床板と該床板の下面に間隔を隔てて固定された複数の下面根太と隣接する下面根太間に介設された介設断熱材とを一体化してなる床パネル組立体の一端部を上記大引き上に載置して取り付けるとともに、上記基礎上の上記大引きの浴室側に基礎の長手方向に沿って断熱材を取り付け、この断熱材の下端部と上記基礎の上端部との間の隙間を気密テープでシールしたことを特徴とするものである。
【０００８】
請求項２の浴室回りの気密構造は、請求項１の構造において、上記大引きは上記基礎上に基礎と略平行に配置するとともに、この大引き上に大引きと略平行に根太を配置し、この根太と上記基礎上の断熱材との間の隙間を気密テープでシールしたことを特徴とするものである。
【０００９】
請求項３の浴室回りの気密構造は、請求項１の構造において、上記大引きは上記基礎と略直交する方向に配置してこの大引きの一端部を上記基礎上に取り付けるとともに、上記基礎上の断熱材の上部に根太を配置し、この根太と上記基礎上の断熱材との間の隙間を気密テープでシールしたことを特徴としている。
【００１０】
請求項４の浴室回りの気密構造は、請求項１乃至３のいずれか記載の上記各気密テープは防水機能を兼備することを特徴とするものである。
【００１１】
請求項５の浴室回りの気密構造は、請求項１乃至４のいずれかの構造において、上記大引きは鋼等の金属からなることを特徴とするものである。
【００１２】
【発明の実施の形態】
以下、本発明の実施の形態を図面を参照しながら説明する。図１に示すように、住宅の床は複数の平面矩形状の床パネル組立体１０を縦横に配列することにより構成されている。各床パネル組立体１０は、図２に示したものと同一構成であり、床板１１、複数の木製等の下面根太１２及び発泡スチロール製等の介設断熱材１３が一体化されたものである。
【００１３】
ここで、各床パネル組立体１０の前後方向については、図３に示すように、床板１１が下面根太１２及び介設断熱材１３に対して若干後方（住宅の奥側に対応）にずらして配置され、複数の床パネル組立体１０を隣接する大引き１４（角形鋼等）間に架け渡しながら縦横に敷き詰めた状態で、各床パネル組立体１０における床板１０の後端突出部が後隣の床パネル組立体１０の前端部における下面根太１２及び介設断熱材１３上に重ねられるようになっている。このような重合せ状態で隣接する床パネル組立体１０同士を接着等で固定されることにより、気密性向上等が図られている。
【００１４】
床パネル組立体１０の幅方向（住宅の幅方向に対応）に関しては、床板１１が下面根太１２及び介設断熱材１３に対して若干右側（図２参照）にずらして配置されている。そして、幅方向に隣接する床パネル組立体１０同士については、図４に示すように、各床パネル組立体１０の右端突出部が右隣に位置する床パネル組立体１０の左端の下面根太１２上に重ね合わせられた状態で接着剤等により固定されるようになっている。なお、隣接する大引き１４間において、床パネル組立体１０の下方には、下層断熱材１５を配置することができる。
【００１５】
以上説明したのは、住宅の周辺部以外の各部に配置された床パネル組立体１０の構成であり、具体的には説明しないが、住宅の周辺部に配置された床パネル組立体１０は、その位置に応じて、幅寸法又は前後寸法が通常の床パネル組立体１０の１／２程度とされる等の修正が適宜施されている。
【００１６】
次に、バスコアからなる浴室１６の周囲における防水気密構造及びその施工手順につき説明する。ここで、バスコアとは、具体的には図示しないが、浴槽と浴室の床、壁、天井等を予め一体的に組み立てたものである。図１に示したように、浴室１６の周囲の屋内側には、住宅の幅方向に延びる基礎１７と、住宅の奥行方向に延びる基礎１８とが設けられている。また、浴室１６の屋外側には、住宅の外周に沿って設けられた基礎１９が配置されている。
【００１７】
図５及び図６に示すように、浴室１６に沿って住宅の幅方向に延びる基礎１７上には角形鋼等の金属からなる大引き２１が基礎１７と略平行に配置され、基礎１７から大引き２１内に突設されたアンカーボルトにナット（共に不図示）が螺合されることにより基礎１７に固定されている。なお、上記アンカーボルトとナットを用いる以外に、例えば、基礎１７の上部に大略下開きコ字形の金具（図示せず）を基礎１７を挟み付けるように嵌合し、基礎１７の上面上に位置する上記金具の水平部に設けた１対の突起間に上記大引き２１を嵌合することで大引き２１を固定してもよく、或いは、上記アンカーボルト及びナットと上記金具とを併用してもよい。
【００１８】
大引き２１上の前方寄りの位置には、大引き２１と略平行に根太２２が配置され、図示しないビス等で大引き２１に固定されている。この大引き２１上の根太２２の後方には、床パネル組立体１０の前端部、具体的には下面根太１２及び介設断熱材１３の各前端部１２が載置されて固定されている。
【００１９】
また、床パネル組立体１０における下面根太１２及び介設断熱材１３の各前端部上から根太２２上に渡って床帯板２３が配置され、不図示のビス等で下面根太１２及び２２に固定されている。さらに、床パネル組立体１０における下面根太１２及び介設断熱材１３の下方には下層断熱材１５が配置され、下層断熱材１５の前端部は大引き２１の後面に当接している。
【００２０】
基礎１７上において、大引き２１の前面、つまり、浴室１６側の表面に発泡合成樹脂等（発泡ポリエチレン等）の断熱材からなる断熱ボード２４が大引き２１の長手方向に沿って取り付けられている。図７に示すように、例えば、この断熱ボード２４には、その裏面側に予め接着剤（不図示）が塗布され、使用時まで接着剤を保護するための離型紙２５が接着剤の表面に貼り付けられている。そして、使用時に離型紙２５を剥離するのみで、断熱ボード２４を所望箇所に容易に接着して取り付けられるようになっている。
【００２１】
上記断熱ボード２４の前面下端部と基礎１７の前面上端部間の隙間、及び断熱ボード２４の上面と根太２２の前面間の隙間は防水気密テープ２６によりシールされている。また、根太２２の前面と床帯板２３の前面間の隙間、及び床帯板２３の上面と床パネル組立体１０の床板１１の上面間の隙間は気密テープ２７（アルミニウムテープ等）でシールされている。
【００２２】
なお、浴室回りに配置された床パネル組立体１０と住宅の外周の基礎１９上の壁体２８との接合部において、上記根太２２と床帯板２３間の隙間をシールする気密テープ２７上に、さらに、コーナ部用気密シート２９が貼着されている。
【００２３】
このコーナ部用気密シート２９は、図８に拡大して示すように、以下で説明する壁体２８の内壁枠３０の表面に貼着されるシート部２９ａ、根太２２と床帯板２３の前面に貼着されるシート部２９ｂ、及び床帯板２３の上面に貼着されるシート部２９ｃの、互いに略直交する方向の３つのシート部を一体的に形成したものである。各シート部２９ａ乃至２９ｃの裏面側には予め接着剤が塗布されるとともに、使用時までこの接着剤を保護するための離型紙３１が貼り付けられている。
【００２４】
上記構造によれば、大引き２１の前面に断熱ボード２４を配置しているので、浴室１６側が高湿となっても、大引き２１の表面での結露の発生が抑制されるようになる。また、万一、大引き２１の表面で若干の結露が生じても、防水気密テープ２６によって、基礎１７や根太２２の前面側への結露水の漏出が防止される。
【００２５】
さらに、床帯板２３により、床板１１と根太２２間の段差をなくすことができるとともに、気密テープ２７によって、根太２２と床帯板２３間及び床帯板２３と床板１１間の気密も確保することができるので、この部位から床下側の冷気等が室内側に侵入することもない。
【００２６】
図９にも示すように、上記住宅の外周に沿って設けられた基礎１９上に配置される壁体２８は、木製の枠体３２とこの枠体３２内に嵌め込まれた断熱材３３とを備えた上記内壁枠３０と、各々Ｃ形鋼等の金属からなる横材３４ａと縦材３４ｂとを備え上記内壁枠３０の外側に配置される軸組３４と、この軸組３４の外側に取り付けられる外壁パネル３５とからなる。
【００２７】
上記軸組３４の横材３４ａは基礎１９上に不図示のアンカーボルト等でに固定されるとともに、基礎１９上には根太３６が固定され、上記内壁枠３０の枠体３２は不図示の釘等で根太３６に取り付けられるようになっている。なお、基礎１９の屋内側（浴室１６側）表面から根太３６及び枠体３２の屋内側表面に渡って気密テープ２７が貼着されている。
【００２８】
次に、浴室１６の屋内側で住宅の奥行方向に延びる基礎１８の周辺の気密構造につき説明する。図１０に示すように、基礎１８上の浴室１６寄りの位置に沿って基礎１８の長手方向と略平行に発泡合成樹脂等からなる大引き３７が配置されている。この大引き３７の反浴室１６側における基礎１８上に、角形鋼等の金属からなる大引き３８の一端部（図の左端部）が載置されて不図示のアンカーボルトまたは金具等により固定されている。なお、大引き３８は所定の間隔を隔てて互いに略平行に複数配置されており、大引き３８と大引き３７とは互いに略直交している。また、大引き３７の浴室１６側には、断熱材３９が大引き３７と平行に配置され、断熱材３９と基礎１８との隙間は防水気密テープ２６によりシールされている。
【００２９】
大引き３７上の浴室１６寄りの位置には、大引き３７の長手方向、つまり、基礎１８の長手方向と略平行に根太４０が取り付けられている。図１１に示すように、基礎１８上に各一端部が配置された隣接する２つの大引き３８上に渡って上記床パネル組立体１０が配置されている。なお、この基礎１８の側方における床パネル組立体１０は、各下面根太１２の長手方向が各大引き３８の長手方向と略直交する方向に配置されている。
【００３０】
上記床パネル組立体１０の一端部（図１０の左端部）に位置する下面根太１２上からそれに隣接する上記根太４０上に渡って床帯板４１が配置されている。そして、根太４０の浴室１６側の表面から断熱材３７の表面及び基礎１８の浴室１６側表面に渡って防水気密テープ２６が貼着されている。
【００３１】
なお、床パネル組立体１０上から根太４０上に渡って床仕上げ材４２が配置されるとともに、基礎１８の上方における床仕上げ材４２上に間仕切り壁４３が基礎１８の長手方向に沿って略垂直に配置されている。
【００３２】
上記構成では、断熱材３７により、浴室１６側と床パネル組立体１０の下方の床下側との断熱が図られるので、大引き３８の表面での結露の発生が抑制されるとともに、万一若干の結露が生じた場合でも、結露水が浴室１６側の表面に漏出することが防水気密テープ２６により防止される。また、床下側と浴室１６側との間の気密も、防水気密テープ２６により確保される。
【００３３】
なお、上記実施の形態では、バスタブを用いた浴室１６の周辺の気密構造について説明したが、それ以外の形式の浴室の周囲にも本発明の防水気密構造を採用することができる。
【００３４】
【発明の効果】
以上説明したように、本発明の請求項１の浴室回りの気密構造は、浴室の周囲の屋内側に隣接して設けられた基礎上に大引きを接続し、床板と該床板の下面に間隔を隔てて固定された複数の下面根太と隣接する下面根太間に介設された介設断熱材とを一体化してなる床パネル組立体の一端部を上記大引き上に載置して取り付けるとともに、上記基礎上の上記大引きの浴室側に基礎の長手方向に沿って断熱材を取り付け、この断熱材の下端部と上記基礎の上端部との間の隙間を気密テープでシールしたものであるから、上記断熱材によって浴室と上記大引き間の断熱性が十分に確保され、高温、高湿となりやすい浴室の近傍に配置された上記大引きに関しても、その表面等での結露の発生を十分の抑制することが可能となる。
【００３５】
また、上記断熱材の下端部と上記基礎の上端部間の隙間を気密テープでシールしたので、上記床パネル組立体の下方の空気がこの隙間から屋内側に侵入することが防止され、浴室回りで十分な気密性を確保することができる。
【００３６】
請求項２の浴室回りの気密構造は、請求項１の構造において、上記大引きは上記基礎上に基礎と略平行に配置するとともに、この大引き上に大引きと略平行に根太を配置し、この根太と上記基礎上の断熱材との間の隙間を気密テープでシールしたものであるから、このように、大引きを基礎と略平行に配置した部位において、大引き表面での結露発生を抑制できるとともに、床下と室内間での気密性を確保できるようになる。
【００３７】
請求項３の浴室回りの気密構造は、請求項１の構造において、上記大引きは上記基礎と略直交する方向に配置してこの大引きの一端部を上記基礎上に取り付けるとともに、上記基礎上の断熱材の上部に根太を配置し、この根太と上記基礎上の断熱材との間の隙間を気密テープでシールしたものであるから、このように、大引きを基礎と略直交するように配置した部位においても、大引き表面での結露発生を抑制できるとともに、床下と浴室間での気密性を確保でき、床下の冷気による浴室の温度低下も抑制できるようになる。
【００３８】
請求項４の浴室回りの気密構造は、請求項１乃至３のいずれか記載の上記各気密テープは防水機能を兼備するものであるから、仮に、上記大引き表面で若干の結露が発生した場合でも、この結露水が浴室側の基礎表面部等に漏出することが上記各気密テープにより防止される利点がある。
【００３９】
請求項５の浴室回りの気密構造は、請求項１乃至４のいずれかの構造において、上記大引きは鋼等の金属からなるものであるが、このような結露の生じやすい材質からなる大引きを使用した場合でも、上記の構造とすることにより、結露の発生を十分に抑制することができる。
【図面の簡単な説明】
【図１】本発明の実施の形態に係る住宅における床パネル組立体の配置を示す概略平面図である。
【図２】上記床パネル組立体を示す概略斜視図である。
【図３】図１のIII-III線に沿う拡大断面図である。
【図４】図３のIV-IV線に沿う断面図である。
【図５】上記床パネル組立体を用いた住宅の浴室回りの屋内側部分を示す概略斜視図である。
【図６】上記浴室回りの屋内側部分を示す概略断面図（図１のＶＩ−ＶＩ線参照）である。
【図７】上記浴室回りの屋内側部分の大引きに断熱ボードを接着する状態を示す概略斜視図である。
【図８】上記浴室回りで使用するコーナ部用気密シートを示す拡大斜視図である。
【図９】上記浴室回りの屋外側の壁体の構造を示す概略断面図（図１のＩＸ−ＩＸ線参照）である。
【図１０】上記浴室回りの他の屋内側部分を示す概略断面図（図１のＸ−Ｘ線参照）である。
【図１１】図１０の矢印ＸＩ方向に沿う概略平面図である。
【図１２】従来の住宅における床の施工手順を示す概略斜視図である。
【符号の説明】
１０  床パネル組立体
１１  床板
１２  下面根太
１３  介設断熱材
１７、１８  基礎
２１、３８  大引き
２２、４０  根太
２３  断熱ボード（断熱材）
３７  断熱材
【図１】
0003763508.tif 000002
【図２】
0003763508.tif 000003
【図３】
0003763508.tif 000004
【図４】
0003763508.tif 000005
【図５】
0003763508.tif 000006
【図６】
0003763508.tif 000007
【図７】
0003763508.tif 000008
【図８】
0003763508.tif 000009
【図９】
0003763508.tif 000010
【図１０】
0003763508.tif 000011
【図１１】
0003763508.tif 000012
【図１２】
0003763508.tif 000013